(57)【要約】【課題】  巻芯ずれや巻芯抜けが生ぜず、被転写体に貼着しても剥がし易く、かつ転写テープと巻芯を容易に分離廃棄処分することができる塗膜転写具用パンケーキを提供する。【解決手段】  転写テープ２を巻芯４に巻回した塗膜転写具用パンケーキ１であって、巻芯４に対面しない外側面５の粘着力が、０．０５Ｎ／２５ｍｍ以上、４．０Ｎ／２５ｍｍ以下である固定用両面粘着テープ３を用いて、転写テープ２の一端を巻芯４に固定するとともに、転写テープ２を巻芯４に巻回した状態において、転写テープ２の内側面７に当接する固定用両面粘着テープ３の外側面５の長さを、巻芯４の外周の長さの少なくとも４分の１倍以上とする。【選択図】        図１
2006212827.tif 000002
【特許請求の範囲】
【請求項１】
転写テープを巻芯に巻回した塗膜転写具用パンケーキであって、巻芯に対面しない外側面の粘着力が、０．０５Ｎ／２５ｍｍ以上、４．０Ｎ／２５ｍｍ以下である固定用両面粘着テープを用いて、転写テープの一端を巻芯に固定するとともに、転写テープを巻芯に巻回した状態において、転写テープの内側面に当接する固定用両面粘着テープの外側面の長さを、巻芯の外周の長さの少なくとも４分の１倍以上としたことを特徴とする塗膜転写具用パンケーキ。
【請求項２】
転写テープを巻芯に巻回した塗膜転写具用パンケーキであって、巻芯に対面しない外側面の粘着力が、０．０５Ｎ／２５ｍｍ以上、４．０Ｎ／２５ｍｍ以下である固定用両面粘着テープを用いて、転写テープの一端を、エンドテープを介して巻芯に固定するとともに、転写テープを巻芯に巻回した状態において、エンドテープ、またはエンドテープと転写テープの内側面に当接する固定用両面粘着テープの外側面の長さを、少なくとも巻芯の外周の長さの４分の１倍以上としたことを特徴とする塗膜転写具用パンケーキ。
【請求項３】
転写テープを巻芯に巻回した状態において、転写テープ、エンドテープ、またはエンドテープと転写テープの内側面に当接する固定用両面粘着テープの外側面の長さを、巻芯の外周の長さの４分の１倍以上、かつ１倍以下としたことを特徴とする請求項１または２記載の塗膜転写具用パンケーキ。
【請求項４】
固定用両面粘着テープの巻芯に対面する内側面の粘着力を、外側面の粘着力に対して、４．０Ｎ／２５ｍｍ以上、４０Ｎ／２５ｍｍ以下の大きさのものとしたことを特徴とする請求項１〜３のいずれかに記載の塗膜転写具用パンケーキ。
【請求項５】
請求項１〜４のいずれかに記載の塗膜転写具用パンケーキを搭載したことを特徴とする塗膜転写具。
【発明の詳細な説明】
【技術分野】
【０００１】
本発明は、塗膜転写具用パンケーキおよびこれを搭載した塗膜転写具に関する。
【背景技術】
【０００２】
修正用、マーキング用、接着用などの転写テープを搭載した塗膜転写具は周知である。この塗膜転写具には、転写テープが交換不能な使い捨てタイプのものと、交換可能なものとがあり、近年、経済性および省資源の観点から、後者の転写テープが交換可能なものが多用されている。
転写テープが交換可能なものは、転写テープの交換時の作業性を良好にするため、転写テープの端部を予め巻芯に固定して、巻回してあるものが多い。しかし、この転写テープを予め巻芯に巻回したものでは、いわゆる巻芯ずれや巻芯抜けが生じる場合がある。この巻芯ずれや巻芯抜けは、塗膜転写具用パンケーキの製造工程における、幅広の転写テープを巻芯に巻回した後に、使用に供する適宜の幅狭の寸法に分割するスライス工程や、使用時において、塗膜転写具用パンケーキを塗膜転写具に搭載する作業時に特に生じ易い。
巻芯ずれや巻芯抜けが生じると、修復が繁雑であるとともに、使用不能となる場合もある。
このため、塗膜転写具用パンケーキの製造後に、巻芯を予め抜き取ってから出荷する提案もなされている（特許文献１）。しかし、巻芯が抜き取られた転写テープは、これを塗膜転写具に搭載する際の作業性に問題がある。
【０００３】
一方、巻芯ずれや巻芯抜けを防止するため、大きな粘着力を有する固定用両面粘着テープを用いて、転写テープを巻芯に固定すると、転写テープの使い終わりの段階で、固定用両面粘着テープが紙面等の被転写体に貼着した場合、これを剥がすときに被転写体を傷めるとともに、転写テープの使用後において、転写テープと巻芯を分離して廃棄処分することが容易でないという問題がある。
【特許文献１】特開平７−３２２７号
【発明の開示】
【発明が解決しようとする課題】
【０００４】
本発明は、前記の問題点に鑑み、塗膜転写具用パンケーキの製造時のスライス工程や、塗膜転写具用パンケーキを塗膜転写具に搭載する際の作業時等において生じ易い巻芯ずれや巻芯抜けを有効に防止することができるとともに、転写テープの使い終わりの段階で、固定用両面粘着テープが紙面等の被転写体に貼着した場合においても、被転写体を傷めることなく容易に剥がすことができ、かつ使用後においても、転写テープと巻芯を容易に分離廃棄処分することができるようにした塗膜転写具用パンケーキ、およびこれを搭載した塗膜転写具を提供することを目的とする。
【課題を解決するための手段】
【０００５】
上記課題は、特許請求の範囲における各請求項に示すように、下記の構成を備える発明によって解決される。
(１)  転写テープを巻芯に巻回した塗膜転写具用パンケーキであって、巻芯に対面しない外側面の粘着力が、０．０５Ｎ／２５ｍｍ以上、４．０Ｎ／２５ｍｍ以下である固定用両面粘着テープを用いて、転写テープの一端を巻芯に固定するとともに、転写テープを巻芯に巻回した状態において、転写テープの内側面に当接する固定用両面粘着テープの外側面の長さを、巻芯の外周の長さの少なくとも４分の１倍以上としたことを特徴とする塗膜転写具用パンケーキとする。
【０００６】
(２)  転写テープを巻芯に巻回した塗膜転写具用パンケーキであって、巻芯に対面しない外側面の粘着力が、０．０５Ｎ／２５ｍｍ以上、４．０Ｎ／２５ｍｍ以下である固定用両面粘着テープを用いて、転写テープの一端を、エンドテープを介して巻芯に固定するとともに、転写テープを巻芯に巻回した状態において、エンドテープ、またはエンドテープと転写テープの内側面に当接する固定用両面粘着テープの外側面の長さを、少なくとも巻芯の外周の長さの４分の１倍以上とする。
【０００７】
(３)  上記(１)項または(２)項において、転写テープを巻芯に巻回した状態において、転写テープ、エンドテープ、またはエンドテープと転写テープの内側面に当接する固定用両面粘着テープの外側面の長さを、巻芯の外周の長さの４分の１倍以上、かつ１倍以下とする。
【０００８】
(４)  上記(１)項〜(３)項のいずれかにおいて、固定用両面粘着テープの巻芯に対面する内側面の粘着力を、外側面の粘着力に対して、４．０Ｎ／２５ｍｍ以上、４０Ｎ／２５ｍｍ以下の大きさのものとする。
【０００９】
(５)  上記(１)項〜(４)項のいずれかに記載の塗膜転写具用パンケーキを搭載した塗膜転写具とする。
【発明の効果】
【００１０】
本発明によると、次のような効果が奏せられる。
請求項１記載の発明によれば、塗膜転写具用パンケーキの製造時のスライス工程や、塗膜転写具用パンケーキを塗膜転写具に搭載する際の作業時等において生じ易い巻芯ずれや巻芯抜けを有効に防止することができるとともに、転写テープの使い終わりの段階で、固定用両面粘着テープが紙面等の被転写体に貼着した場合においても、被転写体を傷めることなく容易に剥がすことができ、かつ使用後においても、転写テープと巻芯を容易に分離廃棄処分することができる。
【００１１】
請求項２記載の発明によれば、請求項１記載の発明と同様の効果が奏せられる。
【００１２】
請求項３記載の発明によれば、比較的短い長さの固定用両面粘着テープで、巻芯ずれや巻芯抜け等を効果的に防止することができる。
【００１３】
請求項４記載の発明によれば、固定用両面粘着テープの巻芯に対面する内側面の粘着力を、外側面の粘着力に対して、４．０Ｎ／２５ｍｍ以上の大きさにすることにより、転写テープを巻芯に安定して固定することができるとともに、固定用両面粘着テープの外側面と、巻回した転写テープの内側面との粘着力によって固定用両面粘着テープが巻芯等から剥がれてしまうことを防止することができる。
また、固定用両面粘着テープの前記内側面の粘着力を、外側面の粘着力に対して４０Ｎ／２５ｍｍ以下の大きさに形成することにより、塗膜転写具用パンケーキの使用後において、転写テープと巻芯とを容易に分離廃棄処分することができる。
【００１４】
請求項５記載の発明によれば、転写テープの使い終わりの段階で、固定用両面粘着テープが紙面等の被転写体に貼着した場合にも、被転写体を傷めずに容易に剥がすことができるとともに、転写テープの使用後において転写テープと巻芯を容易に分離廃棄処分することができる。
【発明を実施するための最良の形態】
【００１５】
図１は、本発明の塗膜転写具用パンケーキの第１実施形態を示す斜視図、図２は、図１に示す塗膜転写具用パンケーキの分解斜視図である。
【００１６】
本発明の塗膜転写具用パンケーキ(１)は、転写テープ(２)の一端を、所定の固定用両面粘着テープ(３)を用いて巻芯(４)に固定して形成されている。
【００１７】
転写テープ(２)としては、テープ基材上に、修正用、マーキング用、接着用等の転写塗膜が積層された周知の転写テープが用いられる。
巻芯(４)も、紙製、合成樹脂製等の公知の巻芯が用いられる。
【００１８】
固定用両面粘着テープ(３)は、巻芯(４)に対面しない外側面(５)の粘着力が０．０５Ｎ／２５ｍｍ以上、４．０Ｎ／２５ｍｍ以下、さらに好ましくは、０．１Ｎ／２５ｍｍ以上、３．０Ｎ／２５ｍｍ以下のものであり、かつ巻芯(４)に対面する内側面(６)の粘着力が、外側面(５)の粘着力に対して、４．０Ｎ／２５ｍｍ以上、４０Ｎ／２５ｍｍ以下の大きさのものとされている。
【００１９】
なお、本明細書における粘着力の数値は、ＪＩＳＺ０２３７記載の「ＳＵＳ板に対する１８０度引き剥がし法」に基づいて測定した値である。また、前記粘着力を得るために用いる粘着剤としては、アクリル系、ゴム系、シリコーン系等の粘着剤が適宜用いられるが、巻芯(４)に固定する転写テープ(２)の一端が剥離面である場合には、シリコーン系の粘着剤が望ましい。
【００２０】
固定用両面粘着テープ(３)の外側面(５)は、転写テープ(２)を巻芯(４)に巻回した状態において、転写テープ(２)の内側面(７)に当接することになり、固定用両面粘着テープ(３)の外側面(５)の粘着力を、０．０５Ｎ／２５ｍｍ以上とすることにより、転写テープ(２)の内側面(７)と固定用両面粘着テープ(３)の外側面(５)間の滑りによって生ずる巻芯ずれや巻芯抜けを有効に防止することができる。さらに、前記粘着力を４．０Ｎ／２５ｍｍ以下とすることにより、転写テープ(２)の使い終わりの段階で、固定用両面粘着テープ(３)が紙面等の被転写体に貼着した場合においても、被転写体を傷めることなく、固定用両面粘着テープ(３)を被転写体から容易に剥がすことができる。
【００２１】
また、固定用両面粘着テープ(３)における、巻芯(４)に対面する内側面(６)の粘着力を、外側面(５)の粘着力に対して、４．０Ｎ／２５ｍｍ以上の大きさのものとすることにより、転写テープ(２)を巻芯(４)に安定して固定することができるとともに、固定用両面粘着テープ(３)の外側面(５)と、巻回した転写テープ(２)の内側面(７)との粘着力によって、固定用両面粘着テープ(３)が巻芯(４)等から剥がれてしまうことを防止することができる。
【００２２】
さらに、固定用両面粘着テープ(３)の前記内側面(６)の粘着力を、外側面(５)の粘着力に対して４０Ｎ／２５ｍｍ以下の大きさに形成することにより、塗膜転写具用パンケーキ(１)の使用後において、転写テープ(２)と巻芯(４)とを容易に分離廃棄処分することができる。
【００２３】
固定用両面粘着テープ(３)の長さＬ１は、転写テープ(２)を巻芯(４)に巻回した状態において、転写テープ(２)の内側面(７)に当接する固定用両面粘着テープ(３)の外側面(５)の長さが、少なくとも巻芯(４)の外周の長さの４分の１倍以上となるように定められている。このような長さとすることにより、固定用両面粘着テープ(３)の外側面(５)の粘着力が０．０５Ｎ／２５ｍｍ以上であることと相俟って、巻芯ずれ、巻芯抜けを有効に防止することができる。固定用両面粘着テープ(３)の前記長さＬ１は、巻芯(４)の外周の長さより大きくする必要はなく、通常、前記外周の長さの１倍以下とされる。
【００２４】
塗膜転写具用パンケーキ(１)を製作するには、幅広の転写テープの一端を、同じく幅広の巻芯に、固定用両面粘着テープを用いて、外側から固定し、次いで転写テープを巻芯に巻回した後に、巻回した状態で適宜の幅、たとえば１０ｍｍ、８ｍｍ、６ｍｍ、５ｍｍ、２．５ｍｍなどの幅にスライスする輪切り法、あるいは前記幅広の転写テープを巻き解きながら適宜の幅にスリットし、巻芯に巻き取るスリット法等により、本発明の塗膜転写具用パンケーキ(１)が得られる。
【００２５】
図３，図４は、本発明の塗膜転写具用パンケーキの第２実施形態を示し、それぞれ図１，図２に相当する斜視図と分解斜視図である。
【００２６】
この塗膜転写具用パンケーキ(８)が、第１実施形態の塗膜転写具用パンケーキ(１)と異なる点は、転写テープ(９)の一端における内側面(10)（図４参照）と、固定用両面粘着テープ(11)の外側面(12)とが接着されて、転写テープ(９)が巻芯(13)に固定されていることである。このため、転写テープ(９)を巻芯(13)に巻回した状態における転写テープ(９)の内側面(14)に当接する固定用両面粘着テープ(11)の外側面(15)の長さは、図３に示すＬ２となり、固定用両面粘着テープ(11)の全体の長さＬ３（図４参照）よりも短くなる。
【００２７】
前記の長さＬ２が、巻芯(13)の外周の長さの少なくとも４分の１以上であることが必要であり、この部分における外側面(15)の粘着力が、０．０５Ｎ／２５ｍｍ以上、４．０Ｎ／２５ｍｍ以下になるように形成されている。
【００２８】
図５，図６は、本発明の塗膜転写具用パンケーキの第３実施形態を示し、それぞれ図１，図２に相当する斜視図と分解斜視図である。
【００２９】
塗膜転写具用パンケーキ(16)は、巻芯(17)に対面しない外側面(18)の粘着力が、０．０５Ｎ／２５ｍｍ以上、４．０Ｎ／２５ｍｍ以下である固定用両面粘着テープ(19)を用いて、転写テープ(20)の一端が、エンドテープ(21)を介して巻芯(17)に固定されている。すなわち、転写テープ(20)の一端が、スプライシングテープ(22)によって、エンドテープ(21)の一端と連結され、エンドテープ(21)の他端が固定用両面粘着テープ(19)によって、巻芯(17)に固定されている。
【００３０】
固定用両面粘着テープ(19)の巻芯(17)に対面する内側面(24)の粘着力は、外側面(18)の粘着力に対して４．０Ｎ／２５ｍｍ以上、４０Ｎ／２５ｍｍ以下の大きさとされている。
【００３１】
エンドテープ(21)、またはエンドテープ(21)と転写テープ(20)の内側面(22)(23)に当接する固定用両面粘着テープ(19)の外側面(18)の長さＬ４は、少なくとも巻芯(17)の外周の長さの４分の１以上となるように定められている。
【００３２】
固定用両面粘着テープ(19)の粘着力と長さを、前記のような大きさとすることにより、第１および第２実施例と同様に、巻芯ずれ、巻芯抜けの防止効果や使用後における転写テープ(20)と巻芯(17)との分離廃棄処分の容易性などの効果が奏せられる。
【００３３】
以上説明した本発明の塗膜転写具用パンケーキにおける巻芯は、塗膜転写具用パンケーキを塗膜転写具に搭載する際に、転写テープの供給リール側に装着する巻芯である。巻取リール側については、巻芯を用いず、転写テープの一端をそのまま巻取リールに巻回して装着する場合と、予め巻芯に巻回しておいて、この巻芯を巻取リールに装着する場合とがある。後者の場合には、巻取リール側に装着する巻芯と転写テープとの固定には、本発明における固定用両面粘着テープを用いてもよいが、従来公知のいずれの固定手段を採用してもよい。
【００３４】
実施例および比較例
幅６ｍｍの巻芯に、粘着力の異なる各種の固定用両面粘着テープを用いて転写テープを巻回して得られた塗膜転写具用パンケーキについて、巻芯ずれ、転写テープの使い終わりの段階で固定用両面粘着テープが紙面の被転写体に貼着した場合の紙面からの剥離性および、巻芯への固定の良好性の各々について性能評価を行った。その結果を表１に示す。
【００３５】
なお、使用後において、転写テープと巻芯を分離廃棄処分する際の巻芯からの固定用両面粘着テープの分離性は、Ｎｏ．１４以外は良好であった。但し、性能評価は、下記に基づいて実施した。
ａ）巻芯ずれ          ○：問題なし  △：巻芯を指で押すと外れる（転写具への取り付け時に外れる）  ×：スライス加工時に巻芯が外れる
ｂ）紙面からの剥離性  ○：上質紙に貼りついても簡単に剥がせる  △：上質紙から剥がしにくい  ×：上質紙を破く
ｃ）巻芯への固定性    ○良好  △：使い終わりでテープが巻芯から外れやすい  ×：巻芯への固定が弱く使用に支障あり
【００３６】
【表１】
2006212827.tif 000003
【図面の簡単な説明】
【００３７】
【図１】本発明の塗膜転写具用パンケーキの第１実施形態を示す斜視図である。
【図２】図１に示す塗膜転写具用パンケーキの分解斜視図である。
【図３】本発明の塗膜転写具用パンケーキの第２実施形態を示す斜視図である。
【図４】図３に示す塗膜転写具用パンケーキの分解斜視図である。
【図５】本発明の塗膜転写具用パンケーキの第３実施形態を示す斜視図である。
【図６】図５に示す塗膜転写具用パンケーキの分解斜視図である。
【符号の説明】
【００３８】
(１)塗膜転写具用パンケーキ
(２)転写テープ
(３)固定用両面粘着テープ
(４)巻芯
(５)外側面
(６)内側面
(７)内側面
(８)塗膜転写具用パンケーキ
(９)転写テープ
(10)内側面
(11)固定用両面粘着テープ
(12)外側面
(13)巻芯
(14)内側面
(15)外側面
(16)塗膜転写具用パンケーキ
(17)巻芯
(18)外側面
(19)固定用両面粘着テープ
(20)転写テープ
(21)エンドテープ
(22)(23)(24)内側面
【図１】
2006212827.tif 000004
【図２】
2006212827.tif 000005
【図３】
2006212827.tif 000006
【図４】
2006212827.tif 000007
【図５】
2006212827.tif 000008
【図６】
2006212827.tif 000009